【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
第１の形式の動画データを入力する入力手段と、
前記入力手段に接続され、前記入力手段から入力された前記第１の形式の動画データの画像処理を行うための第１の集積回路と、
前記第１の形式とは異なる第２の形式の動画データの画像処理を行うための第２の集積回路と、
前記第１の集積回路および前記第２の集積回路に接続された、第３の集積回路と、
前記第３の集積回路に接続され、前記第１の形式の動画データと、前記第２の形式の動画データとを外部機器に出力可能な出力手段とを有し、
前記出力手段が前記第１の形式の動画データを出力する場合、
前記第１の集積回路は、前記入力手段から入力された前記第１の形式の動画データに画像処理を行って前記第３の集積回路に出力し、
前記第３の集積回路は、前記第１の集積回路から入力された、前記第１の集積回路で画像処理が行われた前記第１の形式の動画データを前記出力手段に出力し、
前記出力手段は、前記第３の集積回路から入力された前記第１の形式の動画データを外部機器に出力し、
前記出力手段が前記第２の形式の動画データを出力する場合、
前記第１の集積回路は、前記入力手段から入力された前記第１の形式の動画データに画像処理を行って前記第３の集積回路に出力し、
前記第３の集積回路は、前記第１の集積回路から入力された、前記第１の集積回路で画像処理が行われた前記第１の形式の動画データを、前記第２の形式の動画データに変換して前記第２の集積回路に出力し、
前記第２の集積回路は、前記第３の集積回路から入力された前記第２の形式の動画データに画像処理を行って前記第３の集積回路に出力し、
前記第３の集積回路は、前記第２の集積回路から入力された、前記第２の集積回路で画像処理が行われた前記第２の形式の動画データを前記出力手段に出力し、
前記出力手段は、前記第３の集積回路から入力された前記第２の形式の動画データを外部機器に出力する、ことを特徴とする画像処理装置。
【請求項２】
前記第２の集積回路が行う画像処理は、前記第１の集積回路では行えない画像処理を含むことを特徴とする請求項１に記載の画像処理装置。
【請求項３】
前記第１の集積回路および前記第２の集積回路はそれぞれ、動画データを符号化する機能と、符号化された動画データを記録媒体に記録する機能を有することを特徴とする請求項１または２に記載の画像処理装置。
【請求項４】
前記第２の形式の動画データは、前記第１の形式の動画データよりもデータ量が少ないことを特徴とする請求項１から３のいずれか１項に記載の画像処理装置。
【請求項５】
前記第２の形式の動画データは表示用であり、前記第１の形式の動画データが記録用であることを特徴とする請求項１から４のいずれか１項に記載の画像処理装置。
【請求項６】
前記出力手段が前記第２の形式の動画データを出力する場合、前記第２の集積回路は、前記第３の集積回路から入力された前記第２の形式の動画データにオンスクリーン情報を重畳して前記第３の集積回路に出力することを特徴とする請求項５記載の画像処理装置。
【請求項７】
前記第３の集積回路が、回路構成がプログラマブルな集積回路であることを特徴とする請求項１から６のいずれか１項に記載の画像処理装置。
【請求項８】
前記第３の集積回路が、前記第１の集積回路と前記第２の集積回路のそれぞれが単位時間あたりに処理する動画データが所定量となるように、前記第１の集積回路、前記第２の集積回路、及び前記第３の集積回路の動作クロックの少なくとも１つを制御することを特徴とする請求項１から７のいずれか１項に記載の画像処理装置。
【請求項９】
前記入力手段は撮像手段を含み、
前記出力手段が前記第２の形式の動画データを出力する場合、前記第２の集積回路は、前記第３の集積回路から入力された前記第２の形式の動画データに、撮影補助情報をオンスクリーン情報として重畳して前記第３の集積回路に出力することを特徴とする請求項１から８のいずれか１項に記載の画像処理装置。
【請求項１０】
前記第１の集積回路に接続された第１の外部ＲＡＭと、
前記第２の集積回路に接続された第２の外部ＲＡＭと、
前記第３の集積回路に接続された第３の外部ＲＡＭと、をさらに有することを特徴とする請求項１から９のいずれか１項に記載の画像処理装置。
【手続補正２】
【補正対象書類名】明細書
【補正対象項目名】発明の名称
【補正方法】変更
【補正の内容】
【発明の名称】画像処理装置
【手続補正３】
【補正対象書類名】明細書
【補正対象項目名】０００１
【補正方法】変更
【補正の内容】
【０００１】
本発明は画像処理装置に関する。
【手続補正４】
【補正対象書類名】明細書
【補正対象項目名】０００６
【補正方法】変更
【補正の内容】
【０００６】
本発明はこのような問題を解決し、複数の画像処理用の集積回路を効率よく使用することの可能な画像処理装置を提供することを目的とする。
【手続補正５】
【補正対象書類名】明細書
【補正対象項目名】０００７
【補正方法】変更
【補正の内容】
【０００７】
上述の目的は、第１の形式の動画データを入力する入力手段と、入力手段に接続され、入力手段から入力された第１の形式の動画データの画像処理を行うための第１の集積回路と、第１の形式とは異なる第２の形式の動画データの画像処理を行うための第２の集積回路と、第１の集積回路および第２の集積回路に接続された、第３の集積回路と、第３の集積回路に接続され、第１の形式の動画データと、第２の形式の動画データとを外部機器に出力可能な出力手段とを有し、出力手段が第１の形式の動画データを出力する場合、第１の集積回路は、入力手段から入力された第１の形式の動画データに画像処理を行って第３の集積回路に出力し、第３の集積回路は、第１の集積回路から入力された、第１の集積回路で画像処理が行われた第１の形式の動画データを出力手段に出力し、出力手段は、第３の集積回路から入力された第１の形式の動画データを外部機器に出力し、出力手段が第２の形式の動画データを出力する場合、第１の集積回路は、入力手段から入力された第１の形式の動画データに画像処理を行って第３の集積回路に出力し、第３の集積回路は、第１の集積回路から入力された、第１の集積回路で画像処理が行われた第１の形式の動画データを、第２の形式の動画データに変換して第２の集積回路に出力し、第２の集積回路は、第３の集積回路から入力された第２の形式の動画データに画像処理を行って第３の集積回路に出力し、第３の集積回路は、第２の集積回路から入力された、第２の集積回路で画像処理が行われた第２の形式の動画データを出力手段に出力し、出力手段は、第３の集積回路から入力された第２の形式の動画データを外部機器に出力する、ことを特徴とする画像処理装置によって達成される。
【手続補正６】
【補正対象書類名】明細書
【補正対象項目名】０００８
【補正方法】変更
【補正の内容】
【０００８】
このような構成により、本発明によれば、複数の画像処理用の集積回路を効率よく使用することの可能な画像処理装置を提供できる。
【手続補正７】
【補正対象書類名】明細書
【補正対象項目名】００１１
【補正方法】変更
【補正の内容】
【００１１】
図１において、撮像部１０１はレンズ等の光学系、撮像素子、撮像素子からの画像データを処理する回路を含む。撮像部１０１は、被写体を撮影して、動画データを出力する。本実施形態では、撮像部１０１は、１画面が横１９８０画素×縦１０８０画素、６０フレーム毎秒（ｆｐｓ）のプログレッシブ形式（第１の形式）の動画データ（１０８０／６０ｐ）を出力する。画像処理ＩＣ１０２は、撮像部１０１からの動画データを処理する。なお、画像処理ＩＣ１０２はＣＰＵを内蔵しており、制御プログラムを実行することによって撮像装置１００の各部を制御する制御部としても機能する。
【手続補正８】
【補正対象書類名】明細書
【補正対象項目名】００１８
【補正方法】変更
【補正の内容】
【００１８】
また、画像処理ＩＣ１０４の外部には不揮発性メモリであるＲＯＭ１１１と、揮発性メモリであるＲＡＭ１１２とが接続されている。ＣＰＵ２１４は、ＲＯＭ１１１に記録されているプログラムや各種調整パラメータなどを読み出し、それらをＲＡＭ１１２に展開し、実行する。ＣＰＵ２１４は、プログラムを実行することによって、画像処理ＩＣ１０４の各機能ブロックを制御する。画像解析部２１１は、動画データを解析し、例えば、合焦度を計測したり、被写体の動きを検出したりといった、撮像画像から得られる情報を抽出する役割を持っている。符号化処理部２１２は、Ｈ．２６４等の符号化方式に従い、動画データの符号化、復号処理を行い、データ量の圧縮と伸張処理を行う。また、画像処理ＩＣ１０４は、圧縮された動画データを記録媒体１１５に記録し、また、記録媒体１１５から動画データを再生する機能を持つ。本実施形態では、記録媒体１１５として、メモリカードなどのランダムアクセス可能な記録媒体を用いる。
【手続補正９】
【補正対象書類名】明細書
【補正対象項目名】００５０
【補正方法】変更
【補正の内容】
【００５０】
なお、上述の実施形態においては、画像処理ＩＣを接続する集積回路として、プログラマブルロジックＩＣを用いた例を説明した。しかし、異なる形式の画像データを対象とする画像処理ＩＣを接続して用いることを可能にする効果は、上述したプログラマブルロジックＩＣと同様の機能を有するＡＳＩＣを用いるなど、プログラマブルロジックＩＣを用いなくても実現可能である。